(57)【要約】【課題】この発明は、外線ケーブルの接続及び保守、点検の作業における安全性を向上することができるスイッチギヤを提供するものである。【解決手段】遮断器収納スペース内に配設され、断路位置と接続位置との間を移動可能な遮断器と、外線ケーブル収納スペース内に配設され、遮断器と接続される外線ケーブルと、外線ケーブルの前面を覆うよう着脱自在に配設される正面カバーとを備えたスイッチギヤにおいて、筐体の遮断器収納スペースと外線ケーブル収納スペースとの間に設けられ、正面カバーが取り付けられる取付フレームと、取付フレームの遮断器と正面カバーとの間に設けられ、正面カバーが外された際に遮断器の側に突出して遮断器の断路位置から接続位置への移動を阻止する阻止部材とにより構成されたインターロック機構を備えたものである。【選択図】図２
2012115025.tif 000002
【特許請求の範囲】
【請求項１】
遮断器収納スペースと前記遮断器収納スペースの上部又は下部に設けられた外線ケーブル収納スペースとを有する筐体と、前記遮断器収納スペース内に配設され、断路位置と接続位置との間を移動可能な遮断器と、前記外線ケーブル収納スペース内に配設され、前記遮断器と接続される外線ケーブルと、前記外線ケーブルの前面を覆うよう着脱自在に配設される正面カバーとを備えたスイッチギヤにおいて、前記筐体の前記遮断器収納スペースと前記外線ケーブル収納スペースとの間に設けられ、前記正面カバーが取り付けられる取付フレームと、前記取付フレームの前記遮断器と前記正面カバーとの間に設けられ、前記正面カバーが外された際に前記遮断器の側に突出して前記遮断器の断路位置から接続位置への移動を阻止する阻止部材とにより構成されたインターロック機構を備えたことを特徴とするスイッチギヤ。
【請求項２】
前記阻止部材は、前記遮断器が接続位置に有る際に前記正面カバーを外せなくするための前記正面カバーとの係合部を備えたことを特徴とする請求項1に記載されているスイッチギヤ。
【請求項３】
前記阻止部材は、前記正面カバーが外されると前記取付フレームに対する高さが高くなり、前記正面カバーが取り付けられると前記取付フレームに対する高さが低くなるロックプレートと、前記正面カバーが外されると前記取付フレームに対する前記ロックプレートの高さを高くする弾性部材とを備え、前記取付フレームに対する前記ロックプレートの高さが高い時に前記遮断器の断路位置から接続位置への移動を阻止することを特徴とする請求項１または請求項２に記載のスイッチギヤ。
【請求項４】
前記ロックプレートにより作動する検出手段を備えたことを特徴とする請求項１〜請求項３のいずれか１項に記載のスイッチギヤ。
【発明の詳細な説明】
【技術分野】
【０００１】
この発明は、例えば遮断器に接続された外線ケーブルユニットを筺体の前面から保守、点検などの作業を行う金属閉鎖形のスイッチギヤに関するものである。
【背景技術】
【０００２】
従来、この種の金属閉鎖形スイッチギヤにおいては、筐体内の前面側に制御機器収納スペースが形成され、この制御機器収納スペースの後方に、遮断器を収納した遮断器収納スペース、及び外線ケーブルを収納したケーブル収納スペースが形成されている。
【０００３】
筐体内の上方には、列盤された他の機器と接続される母線が配置されており、遮断器の一方の端子は母線に接続され、他方の端子は外線ケーブルに接続されている。
【０００４】
遮断器収納スペースとケーブル収納スペースは左右方向に並べて配置し、ケーブル収納スペースの前面に、筐体の前面側から外線ケーブルの接続及び保守・点検作業が可能な開口部を設け、この開口部に開閉可能な正面カバーを備えている。そして、この正面カバーを取り外すことにより、外線ケーブルの接続及び保守・点検作業を行うものがある。（例えば、特許文献１参照）
【先行技術文献】
【特許文献】
【０００５】
【特許文献１】特開２００７−２０２２３２号公報
【発明の概要】
【発明が解決しようとする課題】
【０００６】
上述した従来のスイッチギヤは、正面カバーを取り外すことにより、外線ケーブルの接続及び保守・点検作業を行うようにしているが、例えば遮断器が接続位置の状態においても、正面カバーを取り外すことが可能である。そのため、外線ケーブルの接続及び保守、点検の作業の際、遮断器の接続位置の状態を充分に認識されていない状態で誤って正面カバーが取り外される可能性がある。その場合、充電状態の外線ケーブルに触れてしまう虞があり、安全性のさらなる向上が望まれるという課題があった。
【０００７】
この発明は、上記のような課題を解決するためになされたものであり、その目的は、外線ケーブルの接続及び保守、点検の作業における安全性を向上することができるスイッチギヤを提供するものである。
【課題を解決するための手段】
【０００８】
この発明に係わるスイッチギヤは、遮断器収納スペースと前記遮断器収納スペースの上部又は下部に設けられた外線ケーブル収納スペースとを有する筐体と、前記遮断器収納スペース内に配設され、断路位置と接続位置との間を移動可能な遮断器と、前記外線ケーブル収納スペース内に配設され、前記遮断器と接続される外線ケーブルと、前記外線ケーブルの前面を覆うよう着脱自在に配設される正面カバーとを備えたスイッチギヤにおいて、前記筐体の前記遮断器収納スペースと前記外線ケーブル収納スペースとの間に設けられ、前記正面カバーが取り付けられる取付フレームと、前記取付フレームの前記遮断器と前記正面カバーとの間に設けられ、前記正面カバーが外された際に前記遮断器の側に突出して前記遮断器の断路位置から接続位置への移動を阻止する阻止部材とにより構成されたインターロック機構を備えたものである。
【発明の効果】
【０００９】
この発明に係わるスイッチギヤによれば、遮断器が接続位置にある状態では正面カバーの取り外しを阻止するインターロック機構を設けたことにより、外線ケーブルの接続及び保守、点検の作業における安全性を向上させることができるスイッチギヤを得ることができる。
【図面の簡単な説明】
【００１０】
【図１】この発明の実施の形態１に係わるスイッチギヤを示す正面図および側面図である。
【図２】この発明の実施の形態１に係わるスイッチギヤにおけるインターロック機構を示す正面図および側面図である。
【図３】この発明の実施の形態１に係わるスイッチギヤにおけるインターロック機構の構成部品を示す正面図および側面図である。
【図４】この発明の実施の形態1に係わるスイッチギヤにおけるインターロック機構の構成要部を示す正面図および側面図である。
【図５】この発明の実施の形態1に係わるスイッチギヤにおける遮断器とロックプレートの位置関係を示す側面図である。
【００１１】
【図６】この発明の実施の形態２に係わるスイッチギヤを示す正面図および側面図である。
【図７】この発明の実施の形態２に係わるスイッチギヤにおけるインターロック機構の構成部品を示す側面図および正面図の端子接続部を示す断面図である。
【図８】この発明の実施の形態２に係わるスイッチギヤにおける遮断器とロックプレートの位置関係を示す側面図である。
【図９】この発明の実施の形態３に係わるスイッチギヤを示す正面図および側面図である。
【発明を実施するための形態】
【００１２】
実施の形態１．
以下、この発明の実施の形態１を図１〜図５に基づいて説明するが、各図において、同一、または相当部材、部位については同一符号を付して説明する。図１はこの発明の実施の形態１に係わるスイッチギヤを示す正面図および側面図である。図２はこの発明の実施の形態１に係わるスイッチギヤにおけるインターロック機構を示す正面図および側面図である。図３はこの発明の実施の形態１に係わるスイッチギヤにおけるインターロック機構の構成部品を示す正面図および側面図である。図４はこの発明の実施の形態1に係わるスイッチギヤにおけるインターロック機構の構成要部を示す正面図および側面図である。図５はこの発明の実施の形態1に係わるスイッチギヤにおける遮断器とロックプレートの位置関係を示す側面図である。
【００１３】
図１（ａ）は、スイッチギヤより遮断器を引き出し、正面扉、母線カバー、正面カバーを取り外した場合の正面図、図１（ｂ）は、遮断器を接続位置へ収納し、正面扉、母線カバー、正面カバーを取り外した場合の側面図、図１（ｃ）は、図１（ａ）に母線カバー、正面カバーを取り付けた場合の正面図である。なお、図１において制御機器は図示していない。
【００１４】
筺体１は、正面扉内側前面にある制御機器収納スペース（図示せず）の後方に配置した母線収納スペース２、遮断器収納スペース３および外線ケーブル収納スペース４とで構成されている。図は一例として、遮断器収納スペース３の上部に母線収納スペース２が配設され、遮断器収納スペース３の下部に外線ケーブル収納スペース４が配設された場合を示している。
【００１５】
母線収納スペース２には、母線２ａが筺体１の幅方向に配置され、分岐導体２ｂが接続されている。遮断器収納スペース３には、遮断器６を挿入、引出しするための固定枠５が設置され、後方には遮断器６の上段側１次ジャンクション６ａおよび分岐導体２ｂと接続する端子５ａと、遮断器６の下段側１次ジャンクション６ｂおよび導体７と接続する端子５ｂとが配置されている。
【００１６】
外線ケーブル収納スペース４には、計器用変流器８、外線ケーブル接続端子９、外線ケーブル１０が収納され、筺体１の下から引き込まれた外線ケーブル１０が外線ケーブル接続端子９を介し、計器用変流器８を経て導体７と接続されている。
【００１７】
この構造により、母線２ａから遮断器６、計器用変流器８を経て、外線ケーブル１０につながる通電回路が構成される。この通電回路を２回路左右方向に配置して筺体１に収納しており、遮断器６の操作と、母線２ａや外線ケーブル１０の接続作業及び保守作業や点検作業なども前面から実施することができる。
【００１８】
図１（ｃ）において、前述のように母線カバー１９と正面カバー１６が取り付けられている。正面カバー１６は、その着脱時に用いる把手１６ｂを備えており、図１（ａ）に示すように、筺体１に固定されている外部フレーム１８に固定孔１６ａでねじ止めされて固定される。また、下側の正面カバー１６´の上部が上側の正面カバー１６の下に重なっており、上側の正面カバー１６が外れないと下側の正面カバー１６´は外れない構成となっている。
【００１９】
図１（ｃ）中の二点鎖線で囲まれた領域２１にインターロック機構が設けられている。この実施の形態１におけるインターロック機構１１は、図２及び図３に示すように、遮断器収納スペース３と外線ケーブル収納スペース４との間に設けられた取付フレーム１２および遮断器６と正面カバー１６との間に設けられ、正面カバー１６が外された際に遮断器６の側に突出して遮断器６の断路位置から接続位置への移動を阻止する阻止部材であるロックプレート１４を有している。ロックプレート１４は、筺体１に固定されている取付フレーム１２の内側（外線ケーブル収納スペース側）に配置されている（図１（ａ）、（ｂ）を参照）。
【００２０】
図２は、インターロック機構１１を示しており、図２（ａ）はその正面図、図２（ｂ）は側面図である。また、図３はインターロック機構１１を構成しているロックプレート１４、取付フレーム１２、および正面カバー１６の図である。図３（ａ）、（ｂ）はロックプレート１４の正面図と側面図、図３（ｃ）、（ｄ）は取付フレーム１２の正面図と側面図、図３（ｅ）、（ｆ）は正面カバー１６の正面図と側面図である。
【００２１】
ロックプレート１４には係合孔１４ａとロックプレート１４の断面形状コの字内に弾性部材である復帰ばね１５を有している。取付フレーム１２には係合孔１３とロックプレート１４をスライド自在に上下移動させるための貫通部１２ａが遮断器収納スペース３と外線ケーブル収納スペース４を仕切る仕切部１２ｂに設けられている。
【００２２】
ロックプレート１４を取付フレーム１２の貫通部１２ａに通すと、取付フレーム１２に設けた係合孔１３の円孔１３ａと同径の係合孔１４ａが重なる様に復帰ばね１５によってロックプレート１４が上に押し上げられて取付フレーム１２に接続されている。
【００２３】
正面カバー１６には頭部１７ａの直径が基部１７ｂの直径よりも大きい係合ピン１７を有している。そして、係合ピン１７の頭部１７ａは係合孔１３の円孔１３ａと係合孔１４ａに挿通可能で、係合孔１３の円孔１３ａの下部に連設された長孔１３ｂに挿通不可となっている。
【００２４】
係合ピン１７の頭部１７ａが円孔１３ａと係合孔１４ａに挿通された後、正面カバー１６を下に移動させると、係合ピン１７の基部１７ｂは、長孔１３ｂに通すことができ、係合ピン１７と係合孔１３および係合孔１４ａは係合された状態となる。
【００２５】
なお、正面カバー１６を下に移動させて、係合ピン１７と係合孔１３および係合孔１４ａは係合された状態となるが、正面カバー１６の下への移動量は、ロックプレート１４の正面カバー１６と係合しないコの字短辺側１４ｂ（取付フレーム１２を貫通していない方の辺）が取付フレーム１２の仕切部１２ｂにあたることで制限されている。
【００２６】
先ず、正面カバー１６とインターロック機構１１との関係について説明する。図４は、インターロック機構１１の状態について示すものであって、図４（ａ）、（ｂ）は正面カバー１６を取り外した状態の正面図と側面図、図４（ｃ）、（ｄ）は正面カバー１６を取り付けて固定位置でねじ止めしていない状態の正面図と側面図、図４（ｅ）、（ｆ）は正面カバー１６を取り付けて固定位置でねじ止めした状態の正面図と側面図である。
【００２７】
正面カバー１６を取り外した状態では、図４（ａ）、（ｂ）の様に復帰ばね１５により、ロックプレート１４が上方位置に押し上げられた状態である。
【００２８】
正面カバー１６を取り付けて固定位置でねじ止めしていない状態では、図４（ｃ）、（ｄ）の様に正面カバー１６の係合ピン１７を取付フレーム１２の係合孔１３の円孔１３ａ、ロックプレート１４の係合孔１４ａの順で通し、図４（ａ）、（ｂ）と同様に復帰ばね１５によってロックプレート１４が上方位置に押し上げられた状態である。
【００２９】
正面カバー１６を取り付けて固定位置でねじ止めした状態では、図４（ｅ）、（ｆ）の様に正面カバー１６を下に移動させることにより、ロックプレート１４も下方位置に移動する。
【００３０】
また、固定位置でねじ止めされた正面カバー１６は、固定孔１６ａのねじ止めを外し、正面カバー１６を係合孔１３での係合を解除する方向（上側）に移動させることで、取り外すことができる。
【００３１】
このように、正面カバー１６を取り外した状態あるいは正面カバー１６を取り付けて固定位置でねじ止めしていない状態と、正面カバー１６取り付けて固定位置でねじ止めした状態で、ロックプレート１４は上下に移動することになる。
【００３２】
次に遮断器６とインターロック機構１１の関係について、図５を用いて説明する
【００３３】
図５（ａ）は、遮断器６が接続位置にあり、正面カバー１６を取り付けて固定位置でねじ止めした状態の図である。ロックプレート１４は、遮断器６の台車前面フレームと面が合った位置に配置されている。したがって、遮断器６が接続位置にあっては、正面カバー１６を取り付けて固定位置でねじ止めした状態から、ねじ止めを外して正面カバー１６を取り外そうとしても、ロックプレート１４は遮断器６の台車前面フレームで押さえ込まれて、上に移動できない。このため、正面カバー１６の係合ピン１７は係合を解除できず、正面カバー１６を取り外すことはできない。
【００３４】
図５（ｂ）、（ｃ）は、遮断器６が断路位置にある時の図であり、それぞれ、正面カバー１６を取り付けて固定位置でねじ止めした状態と、正面カバー１６を取り外した状態あるいは取り付けて固定位置でねじ止めしていない状態とを示す。図５（ｂ）ではロックプレート１４は下方位置にあるため、遮断器６を断路位置へ移動させることは可能である。一方、図５（ｃ）では、ロックプレート１４は上方位置にあるため、遮断器６を接続位置へ移動させようとしても、ロックプレート１４が遮断器６の台車フレーム内の干渉部２２に当たり、遮断器６の接続位置への移動を阻止することになる。
【００３５】
この実施の形態１によれば、遮断器６が接続位置にある状態で正面カバー１６を取り外そうとすると、ロックプレート１４が遮断器６の台車前面フレームに押さえ込まれて正面カバー１６を取り外すことができないので、外線ケーブル１０の接続及び保守、点検の際、遮断器の接続位置の状態を充分に認識されていない状態で誤って正面カバー１６が取り外され、充電状態の外線ケーブル１０に触れてしまう虞が全くなくなり、外線ケーブル１０の接続及び保守、点検の作業における安全性を向上させることができるスイッチギヤを得ることができる。
【００３６】
また、正面カバー１６を取り外している状態では、ロックプレート１４が上方位置にあるため、正面カバー１６を取り付け、固定位置にねじ止めすることにより、ロックプレート１４を下方位置に移動させない限り、遮断器６を断路位置から接続位置へ移動することができないので、外線ケーブル１０の接続及び保守、点検の作業における安全性をより一層向上させることができる。
【００３７】
実施の形態２．
この発明の実施の形態２を図６〜図８に基づいて説明するが、各図において、同一、または相当部材、部位については同一符号を付して説明する。図６はこの発明の実施の形態２に係わるスイッチギヤを示す正面図および側面図である。図７はこの発明の実施の形態２に係わるスイッチギヤにおけるインターロック機構の構成部品を示す側面図および正面図の端子接続部を示す断面図である。図８はこの発明の実施の形態２に係わるスイッチギヤにおける遮断器とロックプレートの位置関係を示す側面図である。
【００３８】
図６（ａ）は、スイッチギヤより遮断器を引き出し、正面扉、母線カバー、正面カバーを取り外した場合の正面図、図６（ｂ）は、遮断器を接続位置へ収納し、正面扉、母線カバー、正面カバーを取り外した場合の側面図、図６（ｃ）は、図６（ａ）に母線カバー、正面カバーを取り付けた場合の正面図である。なお、図６において制御機器は図示していない。
【００３９】
上述した実施の形態１では、遮断器収納スペース３の上部に母線収納スペース２が配設され、遮断器収納スペース３の下部に外線ケーブル収納スペース４が配設され、筺体１の下から外線ケーブル１０が引き込まれていた場合について述べたが、この実施の形態２では、遮断器収納スペース３の上部に外線ケーブル収納スペース４が配設され、遮断器収納スペース３の下部に母線収納スペース２が配設され、筺体１の上から外線ケーブル１０が引き込まれる場合を示している。すなわち、この実施の形態２は、母線収納スペース２、遮断器収納スペース３、外線ケーブル収納スペース４の構成が上述した実施の形態１と上下逆の構成になっている。
【００４０】
また、図６（ｃ）中の二点鎖線で囲まれた領域２３のインターロック機構１１は、上述した実施の形態１と同じく、遮断器収納スペース３と外線ケーブル収納スペース４との間に設けられた取付フレーム１２および遮断器６と正面カバー１６との間に設けられ、正面カバー１６が外された際に遮断器６の側に突出して遮断器６の断路位置から接続位置への移動を阻止する阻止部材であるロックプレート１４を有しているが、この実施の形態２は、上述した実施の形態１と上下逆に設置されている。図中、上述した実施の形態１と同一符号の説明は省略する。
【００４１】
先ず、正面カバー１６とインターロック機構１１との関係について説明する。図７はインターロック機構１１の状態について示すものであって、図７（ａ）、（ｂ）は正面カバー１６を取り外した状態の正面図と側面図、図７（ｃ）、（ｄ）は正面カバー１６を取り付けて固定位置でねじ止めしていない状態の正面図と側面図、図７（ｅ）、（ｆ）は正面カバー１６を取り付けて固定位置でねじ止めした状態の正面図と側面図である。  
【００４２】
正面カバー１６を取り外した状態では、図７（ａ）、（ｂ）の様に復帰ばね１５により、ロックプレート１４が下方位置に押し下げられた状態である。
【００４３】
正面カバー１６を取り付けて固定位置でねじ止めしていない状態では、図７（ｃ）、（ｄ）の様に正面カバー１６のピン１７を取付フレーム１２の係合孔１３の円孔１３ａ、ロックプレート１４の係合孔１４ａの順で通し、図７（ａ）、（ｂ）と同様に復帰ばね１５によってロックプレート１４が下方位置に押し下げられた状態である。
【００４４】
正面カバー１６を取り付けて固定位置でねじ止めした状態では、図７（ｅ）、（ｆ）の様に正面カバー１６を上に移動させることにより、ロックプレート１４も上方位置に移動する。
【００４５】
また、固定位置でねじ止めされた正面カバー１６は、固定孔１６ａのねじ止めを外し、正面カバー１６を係合孔１３での係合を解除する方向（下側）に移動させることで、取り外すことができる。
【００４６】
このように、正面カバー１６を取り外した状態あるいは正面カバー１６を取り付けて固定位置でねじ止めしていない状態と、正面カバー１６を取り付けて固定位置でねじ止めした状態とで、ロックプレートは下と上に位置を移動することになる。
【００４７】
次に遮断器６とインターロック機構１１の関係について、図８を用いて説明する。
【００４８】
図８（ａ）は、遮断器６が接続位置にあり、正面カバー１６を取り付けて固定位置でねじ止めした状態の図である。ロックプレート１４は、遮断器の前面カバーと面が合った位置に配置されている。したがって、遮断器６が接続位置にあっては、正面カバー１６を取り付けて固定位置でねじ止めした状態から、ねじ止めを外して正面カバー１６を取り外そうとしても、ロックプレート１４は遮断器６の台車前面上部のフレームで押さえ込まれて、下に移動できない。このため、正面カバー１６の係合ピン１７は係合を解除できず、正面カバー１６を取り外すことはできない。
【００４９】
図８（ｂ）、（ｃ）は、遮断器６が断路位置にある時の図であり、それぞれ、正面カバー１６を取り付けて固定位置でねじ止めした状態と、正面カバー１６を取り外した状態、あるいは取り付けて固定位置でねじ止めしていない状態とを示す。図８（ｂ）ではロックプレート１４は上方位置にあるため、遮断器６を断路位置へ移動させることは可能である。一方、図８（ｃ）では、ロックプレート１４は下方位置にあるため、遮断器６を接続位置へ移動させようとしても、ロックプレート１４が遮断器６の操作機構カバー部２４に引っ掛かり、遮断器６の移動を阻止することになる。
【００５０】
この実施の形態２によれば、遮断器６が接続位置にある状態で正面カバー１６を取り外そうとすると、ロックプレート１４が遮断器６の台車前面上部のフレームに押さえ込まれて正面カバー１６を取り外すことができないので、外線ケーブル１０の接続及び保守、点検の際、遮断器の接続位置の状態を充分に認識されていない状態で誤って正面カバー１６が取り外され、充電状態の外線ケーブル１０に触れてしまう虞がなくなり、外線ケーブル１０の接続及び保守、点検の作業における安全性を向上させることができるスイッチギヤを得ることができる。
【００５１】
また、正面カバー１６を取り外している状態では、ロックプレート１４が下方位置にあるため、正面カバー１６を取り付け、固定位置にねじ止めすることにより、ロックプレート１４を上方位置に移動させない限り、遮断器６を断路位置から接続位置へ移動することができないので、外線ケーブル１０の接続及び保守、点検の作業における安全性をより一層向上させることができる。
【００５２】
実施の形態３．
この発明の実施の形態３を図９に基づいて説明するが、各図において、同一、または相当部材、部位については同一符号を付して説明する。図９はこの発明の実施の形態３に係わるスイッチギヤを示す正面図および側面図である。
【００５３】
この実施の形態３においては、ロックプレート１４の正面カバー１６と係合しないコの字短辺側１４ｂも取付フレーム１２の仕切部１２ｂを貫通させ、取付フレーム１２の仕切部１２ｂを貫通した部分にリミットスイッチやポジションスイッチなどの電気的接点を持つ機器２０を配置したものである。図は一例として、上述した実施の形態１の構成に対しての実施の形態に適用した場合について説明する。
【００５４】
正面カバー１６が固定されている場合、つまりロックプレート１４が押し下げられている場合は、そのロックプレート１４の正面カバー１６と係合しないコの字短辺側１４ｂも取付フレーム１２の仕切部１２ｂを貫通し、そのロックプレート１４のコの字短辺側１４ｂの先端部が電気的接点を持つ機器２０と接触し、機器２０の接点を可動する。
【００５５】
一方、正面カバー１６が固定されていない場合、つまりロックプレート１４が復帰ばね１５により遮断器収納スペース３側に押し上げられている場合は、そのロックプレート１４のコの字短辺側１４ｂも押し上げられるので、ロックプレート１４のコの字短辺側１４ｂの先端部と電気的接点を持つ機器２０との接触状態が解除され、機器２０の接点は元の状態となる。
【００５６】
この実施の形態３によれば、正面カバー１６を固定せずに正面扉３０を閉めてしまった場合、次に正面扉３０を開けたときに充電部が完全に露出しており、直接手で触ることができてしまう。従って、正面扉３０を閉めた状態でも正面カバー１６が固定されているかどうか電気的接点を持つ機器２０を利用して判別することができる。
【００５７】
図は一例として、正面カバー１６が固定され、ロックプレート１４が押し下げられている場合は、そのロックプレート１４のコの字短辺側１４ｂの先端部が電気的接点を持つ機器２０と接触し、機器２０の接点を可動する。機器２０の接点を可動することにより、正面扉３０に設けたランプ３１を点灯表示したり、あるいは集中制御室へその信号を出力して監視モニター等で表示することも可能となり、正面扉３０を閉めた状態でも正面カバー１６が固定されているかどうかを判別することができ、安全性に優れ高信頼性のスイッチギヤを得ることができる。
【００５８】
ところで、この実施の形態３を上述した実施の形態１に適用した場合について述べたが、これに限定されるものではなく、上述した実施の形態２にもこの実施の形態３を適用することができ、同様の効果を奏する。
【産業上の利用可能性】
【００５９】
この発明は、外線ケーブルの接続及び保守、点検の作業における安全性を向上することができるスイッチギヤの実現に好適である。
【符号の説明】
【００６０】
１  筺体
３  遮断器収納スペース
４  外線ケーブル収納スペース
６  遮断器
１０  外線ケーブル
１１  インターロック機構
１２  取付フレーム
１４  ロックプレート
１５  復帰ばね
１６  正面カバー
２０  機器
【図１】
2012115025.tif 000003
【図２】
2012115025.tif 000004
【図３】
2012115025.tif 000005
【図４】
2012115025.tif 000006
【図５】
2012115025.tif 000007
【図６】
2012115025.tif 000008
【図７】
2012115025.tif 000009
【図８】
2012115025.tif 000010
【図９】
2012115025.tif 000011